(57)【特許請求の範囲】
【請求項１】
有底円筒形に形成された回転ドラムと、開口する正面側から底部となる背面側に向けて回転軸方向が水平または水平方向から下向き傾斜となるように前記回転ドラムを内包する水槽と、前記回転ドラムを回転駆動するモータと、前記水槽内に給水する給水弁と、前記給水弁に接続され前記水槽の中心より側方寄りの位置で前記水槽と連通する給水経路と、前記水槽の下部に形成された凹状の排水溝と、前記排水溝の底部かつ前記水槽の最下点近傍に設けられた排水口と、前記排水口と連通する排水弁と、前記モータ等を制御して洗い、すすぎ、脱水の一連の行程を逐次制御する制御手段とを備え、前記排水溝の給水経路側の側壁には、前記排水口を覆う上部延設リブを形成するとともに、前記排水口と前記上部延設リブの間の前記排水溝における給水経路寄りの位置に前記排水口を覆う下部延設リブを設け、この下部延設リブの先端が前記上部延設リブの先端より長くなるようしたドラム式洗濯機であり、下部延設リブは、排水溝の給水経路側の側壁から対向する側壁に向かって上向き傾斜にしたドラム式洗濯機。
【請求項２】
有底円筒形に形成された回転ドラムと、開口する正面側から底部となる背面側に向けて回転軸方向が水平または水平方向から下向き傾斜となるように前記回転ドラムを内包する水槽と、前記回転ドラムを回転駆動するモータと、前記水槽内に給水する給水弁と、前記給水弁に接続され前記水槽の中心より側方寄りの位置で前記水槽と連通する給水経路と、前記水槽の下部に形成された凹状の排水溝と、前記排水溝の底部かつ前記水槽の最下点近傍に設けられた排水口と、前記排水口と連通する排水弁と、前記モータ等を制御して洗い、すすぎ、脱水の一連の行程を逐次制御する制御手段とを備え、前記排水溝の給水経路側の側壁には、前記排水口を覆う上部延設リブを形成するとともに、前記排水口と前記上部延設リブの間の前記排水溝における給水経路寄りの位置に前記排水口を覆う下部延設リブを設け、この下部延設リブの先端が前記上部延設リブの先端より長くなるようしたドラム式洗濯機であり、下部延設リブは、略Ｖ字状であり、排水溝の給水経路側は短辺に、前記排水溝の給水経路側から対向する側は長辺に形成されており、前記短辺と前記排水溝の給水経路側の側壁との間に間隙を設けたドラム式洗濯機。
【発明の詳細な説明】
【技術分野】
【０００１】
本発明は、回転ドラム内で衣類の洗濯などを行なうドラム式洗濯機に関するものである。
【背景技術】
【０００２】
従来、この種の洗濯機では、洗剤投入手段を備え、水槽内に投入された洗剤が水槽底部の排水口から排水経路に流れ込み、洗浄効果を低減させないような構成にしたものが提案されてきた（例えば、特許文献１参照）。
【０００３】
図４は、特許文献１に記載された従来の洗濯機の縦断面図、図５（ａ）は、同洗濯機の洗濯時における要部断面図、図５（ｂ）は、同要部斜視図を示す。
【０００４】
図４、図５（ａ）、（ｂ）において、回転ドラム１７を回転自在に内包する水槽１９の内底部には、回転軸２０の方向に長い凹状の排水溝３０を設けている。この排水溝３０の底部には排水口３１を設けており、この排水口３１に排水経路３２の一端を接続し、排水経路３２の他端を排水弁３３に接続して、水槽１９内の洗濯水を排水するようにしている。給水弁３４は、洗剤ケース３５、および水槽１９の上方背面寄りの部分に設けた給水経路３５ａを通して、洗剤ケース３５に投入された洗剤と共に、水槽１９内に水道水を給水する。
【０００５】
排水口３１は、排水溝３０の給水経路３５ａ側の側壁３０ａおよび排水溝３０の背面４５近傍に設け、排水溝３０の給水経路３５ａの側壁３０ａには、排水溝３０の背面４５に延設し排水口３１を覆う延設リブ４６を設けている。排水溝３０の背面４５を、排水溝３０以外の背面４７よりも前方に突出させ、排水溝３０の背面４５のうち、給水経路３５ａ側と反対側の一部は、排水溝３０以外の面と略同一面４７ａとする構成である。
【０００６】
上記の構成により、洗剤投入時、給水経路３５ａから投入された洗剤が排水口３１に直接入らなくする事が出来るという提案である。
【先行技術文献】
【特許文献】
【０００７】
【特許文献１】特開２００７−１１１４０９号公報
【発明の概要】
【発明が解決しようとする課題】
【０００８】
しかしながら、前記特許文献１に示す従来の構成では、洗剤ケースに投入された洗剤が粉末洗剤であれば延設リブの効果により、排水経路に流れ込むことは防止できるが、液体洗剤の場合は、給水する前に、その流動性により洗剤ケースから水槽内に流れ入り、さらに水槽底部の排水口を覆う延設リブを伝い、排水口から排水経路内まで流れ込んでしまうことがあった。
【０００９】
液体洗剤が排水経路内に流れ込んでしまうと、排水経路内へは回転ドラムによる洗濯時の水流が及びにくいため、そのまま排水経路に留まり、結果として洗濯物に作用する洗剤分が不足して、所定の洗浄性能が発揮されないという課題を有していた。
【００１０】
本発明は、前記従来の課題を解決するもので、液体洗剤が排水経路に流れ込まないようにすることにより、所定の洗浄性能を発揮させることができるドラム式洗濯機を提供することを目的とする。
【課題を解決するための手段】
【００１１】
前記従来の課題を解決するために本発明のドラム式洗濯機は、有底円筒形に形成された回転ドラムと、開口する正面側から底部となる背面側に向けて回転軸方向が水平または水平方向から下向き傾斜となるように前記回転ドラムを内包する水槽と、前記回転ドラムを回転駆動するモータと、前記水槽内に給水する給水弁と、前記給水弁に接続され前記水槽の中心より側方寄りの位置で前記水槽と連通する給水経路と、前記水槽の下部に形成された凹状の排水溝と、前記排水溝の底部かつ前記水槽の最下点近傍に設けられた排水口と、前記排水口と連通する排水弁と、前記モータ等を制御して洗い、すすぎ、脱水の一連の行程を逐次制御する制御手段とを備え、前記排水溝の給水経路側の側壁には、前記排水口を覆う上部延設リブを形成するとともに、前記排水口と前記上部延設リブの間の前記排水溝における給水経路寄りの位置に前記排水口を覆う下部延設リブを設け、この下部延設リブの先端が前記上部延設リブの先端より長くなるようしたことにより、液体洗剤が排水系に流れ込まないようにできるため、洗剤の効果を十分に発揮させ、所定の洗浄性能を確保することができる。
【発明の効果】
【００１２】
本発明のドラム式洗濯機は、簡単なる構造にて、液体洗剤が排水系に流れ込むことは無く、所定の洗浄性能を確保することができる。
【図面の簡単な説明】
【００１３】
【図１】本発明の実施の形態１におけるドラム式洗濯機の縦断面図
【図２】（ａ）同ドラム式洗濯機の洗濯時における正面から見た要部断面図、（ｂ）同要部斜視図
【図３】（ａ）本発明の実施の形態２におけるドラム式洗濯機の洗濯時における正面から見た要部断面図、（ｂ）同要部斜視図
【図４】特許文献１に記載された従来の洗濯機の縦断面図
【図５】（ａ）同洗濯機の洗濯時における要部断面図、（ｂ）同要部斜視図
【発明を実施するための形態】
【００１４】
第１の発明は、有底円筒形に形成された回転ドラムと、開口する正面側から底部となる背面側に向けて回転軸方向が水平または水平方向から下向き傾斜となるように前記回転ドラムを内包する水槽と、前記回転ドラムを回転駆動するモータと、前記水槽内に給水する給水弁と、前記給水弁に接続され前記水槽の中心より側方寄りの位置で前記水槽と連通する給水経路と、前記水槽の下部に形成された凹状の排水溝と、前記排水溝の底部かつ前記水槽の最下点近傍に設けられた排水口と、前記排水口と連通する排水弁と、前記モータ等を制御して洗い、すすぎ、脱水の一連の行程を逐次制御する制御手段とを備え、前記排水溝の給水経路側の側壁には、前記排水口を覆う上部延設リブを形成するとともに、前記排水口と前記上部延設リブの間の前記排水溝における給水経路寄りの位置に前記排水口を覆う下部延設リブを設け、この下部延設リブの先端が前記上部延設リブの先端より長くなるようしたことにより、液体洗剤が排水系に流れ込まないようにできるため、所定の洗浄性能を確保することができる。
【００１５】
第２の発明は、特に、第１の発明において、下部延設リブは、排水溝の給水経路側の側壁から対向する側壁に向かって上向き傾斜にしたことにより、上方から水槽内周面を伝って流れてきた液体洗剤を、下部延設リブ上部に確実に溜めることができ、排水口へ流れ込んでいくのを、より確実に防止することができる。
【００１６】
第３の発明は、特に、第１の発明において、下部延設リブは、略Ｖ字状であり、排水溝の給水経路側は短辺に、前記排水溝の給水経路側から対向する側は長辺に形成されており、前記短辺と前記排水溝の給水経路側の側壁との間に間隙を設けたことにより、液体洗剤を、下部延設リブ上部に確実に溜めることができ、排水口へ流れ込んでいくのを、より確実に防止することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１におけるドラム式洗濯機の縦断面図、図２（ａ）は同ドラム式洗濯機の洗濯時における正面から見た要部断面図、図２（ｂ）は同要部斜視図を示すものである。
【００１９】
図１に示すように、洗濯機本体５１の内部に揺動自在に水槽５２が配設され、水槽５２内には、回転ドラム５３が回転自在に配設され、回転ドラム５３は、水槽５２の背面に外側より取り付けられたモータ５４により回転駆動される。
【００２０】
また、本発明のドラム式洗濯機は、モード設定や制御プログラムに従い、図１に示すモータ５４、給水系５５、排水系５６、乾燥系５７などを自動制御して、少なくとも洗い行程、すすぎ行程、脱水行程、乾燥行程を行う機能を有したいわゆるドラム式洗濯乾燥機を構成している。しかし、乾燥系５７は省略することができる。
【００２１】
給水系５５は、給水弁（図示せず）の開閉によって、正面から見て中心より左側（側方寄り）に設けられた給水経路７５を介して、実線矢印ａで示すように水槽５２内部に適時に給水でき、また給水を利用して洗剤収容部５８の洗剤を水道水と共に水槽５２内に適時に投入できるようになっている。
【００２２】
排水系５６は、排水弁５９の開閉によって洗い行程終了時、すすぎ行程終了時など必要なときに一点鎖線矢印ｂで示すように、水槽５２の内底下部（排水溝７６の底部かつ水槽５２の最下点近傍）に形成された排水口７１に接続された排水管６０を介し、フィルターケース６７に内設され、糸屑類を捕集し外部から取り外し可能の排水フィルタ６１を通過した後、接続ホース７２、排水弁５９を経由して、機外に排水できるようになっている。なお、水槽５２の側壁内方下部には、排水口７１へ排水されやすいように、凹状の排水溝７６が形成されている。
【００２３】
回転ドラム５３は、略水平方向または水平方向から下向きに傾斜となるように配した回転軸６３により水槽５２の外底部に固着したモータ５４に直結され、回転駆動する事により、前方の開閉扉６４部より回転ドラム５３に投入された衣類の撹拌たたき洗いを行う。なお、開閉扉６４は、水槽５２の開口縁６５に装着したシール材６６を介して密閉し、また開くことができるようにしている。
【００２４】
乾燥系５７は、水槽５２および回転ドラム５３内の空気を送風機６２によって図１の破線矢印ｃで示すように循環させる。乾燥系５７内には、糸屑類を捕集し除塵するフィルタ（図示せず）、除塵後の導入空気を除湿する除湿部（図示せず）、除湿後の空気を加熱して渇いた高温空気とする加熱部（図示せず）等を有する。
【００２５】
運転コース等のモードや各種機能の選択は、洗濯機本体５１の前面上部に設けられる操作パネル７３から入力して行い、制御手段７４がその入力情報を基に操作パネル７３上の表示手段（図示せず）で表示して使用者に知らせるとともに、操作パネル７３での入力設定手段（図示せず）により運転開始が設定されると、水槽５２内の水位を検知する水位検知手段（図示せず）等からのデータを入力して、モータ５４、排水弁５９、給水弁（図示せず）などの動作を制御し、洗い、すすぎ、脱水、乾燥行程などの運転を行う。
【００２６】
図２（ａ）の同ドラム式洗濯機の洗濯時における正面から見た要部断面図、（ｂ）の同要部斜視図において、排水口７１は凹状の排水溝７６の給水経路７５側の側壁７７および排水溝７６の背面７８近傍に設け、排水溝７６の給水経路７５側の側壁７７には、排水溝７６の背面７８に延設し、排水口７１を覆う、略水平の上部延設リブ７９を回転ドラム５３の脱水回転方向とは逆方向に延ばせて形成している。さらに、排水溝７６の側壁７７には、排水溝７６の背面７８に延設して、上部延設リブ７９と排水口７１の略中間位置、かつ、排水溝７６における給水経路７５寄りの位置に、上部延設リブ７９の方向と同様に回転ドラム５３の脱水回転方向とは逆方向に下部延設リブ８０を形成している。上記下部延設リブ８０は、側壁７７からの長さが上部延設リブ７９の略２倍となるように形成し、側壁７７と成す角度は鋭角となっている。つまり、側壁７７の反対側（排水溝７６の給水経路７５側の側壁７７から対向する側壁に向かって）に上向き傾斜に形成され、上部延設リブ７９の上面端部から滴下した液体洗剤を受け止める構成としている。
【００２７】
上記構成において、洗濯行程の基本的な動作を説明する。
【００２８】
前述のように、使用者が洗剤収容部５８に投入した洗剤は、給水された水道水により、実線矢印ａで示すように水槽５２内部に投入される。投入された洗剤は、洗い行程の洗剤溶解行程において、回転ドラム５３の回転動作により溶解され、回転ドラム５３内の洗濯物の汚れ除去作用を行なう。
【００２９】
しかし、液体洗剤の場合は、その流動性により給水前に自重で、洗剤収容部５８から給水経路７５を介して水槽５２へ流れ込むことがある。水槽５２へ流れ込んだ液体洗剤は、給水経路７５は正面から見て中心より左側に設けられているため、水槽５２の左側内周面を伝い、矢印Ａのように上部延設リブ７９の上に流れてくる。そして、上部延設リブ７９先端から下部延設リブ８０の上に落ちて、下部延設リブ８０と排水溝７６の給水経路７５側の側壁７７とで形成されるポケット部８１に一時的に溜まり、排水口７１に流れ込むことは無い。
【００３０】
一時的にポケット部８１に溜まった液体洗剤は、給水後に開始される回転ドラム５３の回転動作により発生した水流によって、水槽５２内に拡散され溶解される。
【００３１】
洗い行程が終了して排水になると、洗濯水は、排水口７１に接続された排水管６０を介し、フィルターケース６７内の排水フィルタ６１を通過した後、接続ホース７２、排水弁５９を経由して機外に排水されるが、ポケット部８１には少量の洗濯水が残ることがある。しかし、その後の脱水行程にて、回転ドラム５３は時計廻りである矢印Ｂの方向に回転させることにより、上下の上部延設リブ７９と下部延設リブ８０で構成されたポケット部８１には、強い脱水風が発生し、ポケット部８１に残った洗濯水は下部延設リブ８０の前方側に飛ばされ、下に落ちて排水口７１へ流され、機外へ排水される。なお、下部延設リブ８０は、水槽５２内周径（二点鎖線ｄ）よりも外周側に形成されているため、脱水風がポケット部８１に吹き込みやすくなっている。
【００３２】
以上のように本実施の形態１においては、排水溝の給水経路側の側壁には、背面に延設し排水口を覆う上部延設リブを形成するとともに、排水口と上部延設リブの略中間位置において、排水溝の給水経路側の側壁に、背面に延設して排水口を覆う下部延設リブを、先端が上部延設リブより長くなるよう延設形成することにより、液体洗剤が排水系に流れ込まないようにできるため、洗剤の効果を十分に発揮させ、所定の洗浄性能を確保することができる。
【００３３】
また、下部延設リブを、給水経路側の側壁の反対側に向かって上向き傾斜に形成することにより、液体洗剤を、下部延設リブ上部に確実に溜めることができ、排水口へ流れ込んでいくのを、より確実に防止することができる。
【００３４】
（実施の形態２）
図３（ａ）は、本発明の実施の形態２におけるドラム式洗濯機の洗濯時における正面から見た要部断面図、図３（ｂ）は、同要部斜視図を示すものである。
【００３５】
図３（ａ）、（ｂ）において、排水口７１は凹状の排水溝７６の給水経路７５側の側壁７７および排水溝７６の背面７８近傍に設け、排水溝７６の側壁７７には、排水溝７６の背面７８に延設し、排水口７１を覆う、略水平の上部延設リブ７９を形成している。さらに、排水溝７６の背面７８に延設して、上部延設リブ７９と排水口７１の略中間位置に、下部延設リブ８２を形成している。下部延設リブ８２は、側面形状が略Ｖ字状であり、側壁７７側は短辺８３で、反対側（排水溝７６の給水経路７５側から対向する側）が長辺８４になっており、短辺８３と側壁７７との間に間隙８５が設けてある。
【００３６】
上記構成において、水槽５２へ流れ込んだ液体洗剤は、給水経路７５は正面から見て中心より左側に設けられているため、水槽５２の左側内周面を伝い、矢印Ａのように上部延設リブ７９の上に流れてくる。そして、上部延設リブ７９先端から下部延設リブ８２の上に落ちて、短辺８３と長辺８４で作られるＶ字ポケット部８６に一時的に溜まり、排水口７１に流れ込むことは無い。
【００３７】
一時的にＶ字ポケット部８６に溜まった液体洗剤は、給水後に開始される回転ドラム５３の回転動作により発生した水流によって、水槽５２内に拡散され溶解される。
【００３８】
洗い行程が終了して排水になると、洗濯水は、排水口７１に接続された排水管６０を介し、フィルターケース６７内の排水フィルタ６１を通過した後、接続ホース７２、排水弁５９を経由して機外に排水されるが、Ｖ字ポケット部８６には少量の洗濯水が残ることがある。しかし、その後の脱水行程にて、回転ドラム５３は時計廻りである矢印Ｂの方向に回転するため、Ｖ字ポケット部８６に残った洗濯水は、発生した脱水風により、下部延設リブ８２の短辺８３と側壁７７との間に設けられた間隙８５へ飛ばされ、あるいは、下部延設リブ８２の前方側に飛ばされ、下に落ちて排水口７１へ流され、機外へ排水される。なお、下部延設リブ８２は、水槽５２内周径（二点鎖線ｄ）よりも外周側に形成されているため、脱水風がＶ字ポケット部８６に吹き込みやすくなっている。
【００３９】
以上のように本実施の形態２においては、下部延設リブをＶ字状に形成することにより、液体洗剤を、下部延設リブ上部に確実に溜めることができ、排水口へ流れ込んでいくのを、より確実に防止することができる。
【産業上の利用可能性】
【００４０】
以上のように、本発明にかかるドラム式洗濯機は、簡単な構成により液体洗剤が排水口に流れ込むのを防止し、所定の洗浄性能を確保することが可能になるので、他の洗濯機の用途にも適用できる。
【符号の説明】
【００４１】
５２  水槽
５３  回転ドラム
５４  モータ
５９  排水弁
６０  排水管
７１  排水口
７４  制御手段
７５  給水経路
７６  排水溝
７７  側壁
７８  背面
７９  上部延設リブ
８０、８２  下部延設リブ
【図１】
0005459171.tif 000002
【図２】
0005459171.tif 000003
【図３】
0005459171.tif 000004
【図４】
0005459171.tif 000005
【図５】
0005459171.tif 000006